(57)【要約】【課題】  本発明は、表示されたEPG情報が最新か否かユーザが容易に判断できる記録再生装置を提供することを目的とする。【解決手段】  本発明の記録再生装置は、番組ガイドを記憶手段に記憶させた時の時刻を記憶手段に記憶させるとともに、番組ガイドを表示させる際に、時刻も合わせて表示させる。【選択図】  図１
2006108740.tif 000002
【特許請求の範囲】
【請求項１】
放送時間を含んだ電子番組ガイドが多重化されたテレビ放送信号を受信し、前記テレビ放送信号を記録及び再生する記録再生装置であって、
前記テレビ放送信号及び前記電子番組ガイドを受信する受信手段と、
前記受信手段により受信された前記番組ガイドを記憶する記憶手段と、
現在の時刻を出力する時計手段と、
前記各手段を制御する制御手段と
を備え、
前記制御手段を、前記番組ガイドを前記記憶手段に記憶させた時の前記時刻を前記記憶手段に記憶させるとともに、前記番組ガイドを表示させる際に、前記時刻も合わせて表示させるように構成したことを特徴とする記録再生装置。
【請求項２】
放送時間を含んだ電子番組ガイドが多重化されたテレビ放送信号を受信し、前記テレビ放送信号を記録及び再生する記録再生装置であって、
前記テレビ放送信号及び前記電子番組ガイドを受信する受信手段と、
前記電子番組ガイドの放送時刻を記憶する第1の記憶手段と、
前記受信手段により受信された前記番組ガイドを記憶する第2の記憶手段と、
現在の時刻を出力する時計手段と、
前記各手段を制御する制御手段と
を備え、
前記制御手段を、前記番組ガイドを前記記憶手段に記憶させた時の前記時刻を前記記憶手段に記憶させるとともに、
前記第1の記憶手段の前記電子番組ガイドの放送時刻と、前記時計手段による現在の時刻とを比較し、これにより前記現在の時刻にもっとも近い前記電子番組ガイドの放送時間を特定し、
前記特定された前記電子番組ガイドの放送時間と、前記第2の記憶手段に記憶されている前記番組ガイドを前記記憶手段に記憶させた時の前記時刻とを比較し、
前記第2の記憶手段に記憶されている前記電子番組ガイドが最新でないと判断された場合には、その旨を表示させるように構成したことを特徴とする記録再生装置。
【請求項３】
前記電子番組ガイドが最新でないと判断された場合の表示として、前記第2の記憶手段に記憶している前記記憶手段に前記電子番組ガイドを記憶させた時の時刻を表示させるように制御することを特徴とする請求項２記載の記録再生装置。
【請求項４】
前記電子番組ガイドが最新でないと判断された場合の表示として、前記電子番組ガイドが更新されていない旨の表示をさせるように制御することを特徴とする請求項３記載の記録再生装置。
【発明の詳細な説明】
【技術分野】
【０００１】
本発明は、テレビ放送信号を記録，再生可能な記録再生装置に関する。
【背景技術】
【０００２】
テレビ放送信号には、放送時間，番組名等が格納された電子番組ガイド(EPG: Electronic Program Guide，以下、「EPG情報」と記す)が多重化されて送信されている。EPG情報は、デジタルTV受像機において、EPG情報を送出している特定放送局からのテレビ放送信号(例えば、Aチャンネル)を受信している場合にのみ受信，記憶し、以前に受信し記憶しているEPG情報と異なる内容がある場合、新しく受信したEPG情報に更新する。ここで、特定放送局からのテレビ放送信号を受信していない場合で、最新のEPG情報を確認しようとする場合には、現在視聴中のテレビ放送信号(例えば、Bチャンネル)の受信を中断し、Aチャネルに変更しなければならない。 
これを解決するために、特許文献１では、現在視聴中のチャネル(Bチャンネル)を１つのチューナによって選局している状態で、もう一つのチューナによってAチャンネルを検索し、各チャンネルに対するEPG情報を受信して更新している。
【特許文献１】特開平11-27593号公報
【発明の開示】
【発明が解決しようとする課題】
【０００３】
しかしながら、複数のチューナが特定放送局のチャンネル以外に選局され、視聴および録画されている場合は、EPG情報が得られていないので、更新したEPG情報を表示することができないとともに、ユーザは、この状態でEPG情報を表示した場合、表示されたEPG情報が最新なのか否かが判断できないという問題点があった。
【０００４】
本発明は、表示されたEPG情報が最新か否かユーザが容易に判断できる記録再生装置を提供することを目的とする。
【課題を解決するための手段】
【０００５】
上記目的を達成するために、本発明の記録再生装置は、放送時間を含んだ電子番組ガイドが多重化されたテレビ放送信号を受信し、前記テレビ放送信号を記録及び再生する記録再生装置であって、
前記テレビ放送信号及び前記電子番組ガイドを受信する受信手段と、
前記受信手段により受信された前記番組ガイドを記憶する記憶手段と、
現在の時刻を出力する時計手段と、
前記各手段を制御する制御手段と
を備え、
前記制御手段を、前記番組ガイドを前記記憶手段に記憶させた時の前記時刻を前記記憶手段に記憶させるとともに、前記番組ガイドを表示させる際に、前記時刻も合わせて表示させるように構成したことを特徴とする。
【０００６】
そして、番組ガイドとともに、該番組ガイドを記憶できた時刻を表示するので、ユーザが記憶できた番組ガイドの時刻を容易に把握することができる。
【０００７】
また、放送時間を含んだ電子番組ガイドが多重化されたテレビ放送信号を受信し、前記テレビ放送信号を記録及び再生する記録再生装置であって、
前記テレビ放送信号及び前記電子番組ガイドを受信する受信手段と、
前記電子番組ガイドの放送時刻を記憶する第1の記憶手段と、
前記受信手段により受信された前記番組ガイドを記憶する第2の記憶手段と、
現在の時刻を出力する時計手段と、
前記各手段を制御する制御手段と
を備え、
前記制御手段を、前記番組ガイドを前記記憶手段に記憶させた時の前記時刻を前記記憶手段に記憶させるとともに、
前記第1の記憶手段の前記電子番組ガイドの放送時刻と、前記時計手段による現在の時刻とを比較し、これにより前記現在の時刻にもっとも近い前記電子番組ガイドの放送時間を特定し、
前記特定された前記電子番組ガイドの放送時間と、前記第2の記憶手段に記憶されている前記番組ガイドを前記記憶手段に記憶させた時の前記時刻とを比較し、
前記第2の記憶手段に記憶されている前記電子番組ガイドが最新でないと判断された場合には、その旨を表示させるように構成したことを特徴とする。
【０００８】
そして、電子番組ガイドが最新でない旨の表示がされるので、ユーザは表示されている電子番組ガイドが最新か否か容易に判断できる。
【０００９】
また、前記電子番組ガイドが最新でないと判断された場合の表示として、前記第2の記憶手段に記憶している前記記憶手段に前記電子番組ガイドを記憶させた時の時刻を表示させるように制御することを特徴とする。
【００１０】
また、前記電子番組ガイドが最新でないと判断された場合の表示として、前記電子番組ガイドが更新されていない旨の表示をさせるように制御することを特徴とする。
【発明の効果】
【００１１】
本発明によれば、ユーザが表示されたEPG情報が最新か否か容易に判断できる。
【発明を実施するための最良の形態】
【００１２】
以下、図面を参照して本発明の実施の形態を説明する。
【００１３】
図１は、本発明の一実施の形態による記録再生装置を示す概略構成図である。記録再生装置は、HDD(ハードディスクドライブ)部2001と、ビデオファイルを構築できる情報記憶媒体である光ディスク1001を回転駆動し、光ディスク1001に対して情報の読み書きを実行するディスクドライブ部35と、録画側を構成するエンコーダ部50と、再生側を構成するデコーダ部60と、装置本体の動作を制御するマイクロコンピュータブロック30とを、主たる構成要素としている。
【００１４】
上記のうち、エンコーダ部50は、A/D(アナログデジタル)変換部５２と、Ｖ(ビデオ)エンコーダ，Ａ（オーディオ）エンコーダ，ＳＰ（副映像）エンコーダを含むエンコーダ群５３と、各エンコーダの出力を所定のフォーマットにするフォーマッタ５６と、バッファメモリ５７とを備えている。A/D変換部５２には、AV入力部４２からの外部アナログビデオ信号＋外部アナログオーディオ信号，あるいはTV(テレビジョン)チューナ部４４からのアナログビデオ信号＋アナログ音声信号が入力される。なお、A/D変換部５２に、デジタルビデオ信号やデジタルオーディオ信号が入力されるときは、A/D変換部５２は、デジタルビデオ信号やデジタルオーディオ信号をスルーパスさせる。そして、これらのデジタルビデオ信号及びデジタルオーディオ信号に対しても、内容は改変することなく、ジッタ低減処理やサンプリングレート変更処理等は行なってもよい。但し、サンプリング周波数等が異なるときには、コンバート処理を行なう。
【００１５】
A/D変換部５２から出力されたデジタルビデオ信号は、エンコーダ群53のVエンコーダを介してフォーマッタ５６に送られる。また、A/D変換部５２から出力されたデジタルオーディオ信号は、エンコーダ群53のAエンコーダを介してフォーマッタ５６に送られる。なお、Vエンコーダは、入力されたデジタルビデオ信号を、MPEG2またはMPEG1規格に基づいて、可変ビットレートで圧縮されたデジタル信号に変換する機能を持つ。また、Aエンコーダは、入力されたデジタルオーディオ信号を、MPEGまたはAC-3規格に基づいて、固定ビットレートで圧縮されたデジタル信号またはリニアＰＣＭのデジタル信号に変換する機能を持つ。
【００１６】
フォーマッタ５６は、バッファメモリ５７をワークエリアとして使用しながら、入力されたビデオ信号、オーディオ信号、副映像信号等に対して所定の信号処理を行なうことにより、フォーマット（ファイル構造）に合致した記録データをデータ処理部36に出力する。 
ここで、本装置は、エンコーダ部50でエンコードされた情報及び作成された管理情報を、データ処理部36を介してHDD部2001に供給し、ハードディスクに記録することができる。またハードディスクに記録された情報を、データ処理部36，ディスクドライブ部35を介して光ディスク1001に記録することもできる。なお、エンコーダ部50でエンコードされた情報及び作成された管理情報を、HDD部2001を介することなく、データ処理部36，ディスクドライブ部35を介して光ディスク1001に記録することもできる。 
光ディスク1001に対して、情報の読み書き（録画及び／または再生）を実行する部分としては、光学系，駆動系を有するディスクドライブ部35と、データ処理部36と、一時記憶部37と、STC発生部(システムタイムカウンタまたはシステムタイムクロック)３８とを備えている。一時記憶部37は、データ処理部36，ディスクドライブ部35介して光ディスク1001に書き込まれるデータ（エンコーダ部50から出力されるデータ）のうちの一定量分をバッファリングしたり、ディスクドライブ部35，データ処理部36を介して光ディスク1001から再生されたデータ（後述するデコーダ部60に入力されるデータ）のうちの一定量分をバッファリングしたりするのに利用される。ディスクドライブ部35は、光ディスクに対する回転制御系，レーザ駆動系，光学系などを有する。
【００１７】
データ処理部36は、マイクロコンピュータブロック30の制御にしたがって、エンコーダ部50から出力されたDVD規格に対応した形式の記録データをディスクドライブ部35に供給したり、光ディスク1001から再生したDVD規格に対応した形式の再生信号をディスクドライブ部35から取り込んだり、光ディスク1001に記録された管理情報を書き替えたり、光ディスク1001に記録されたデータ（ファイルあるいはビデオオブジェクト）の削除をしたりする。
【００１８】
デコーダ部60は、HDD部2001若しくは光ディスク1001からの図示しないパック構造を持つ情報から各パックを分離して取り出すセパレータ６２と、パック分離やその他の信号処理実行時に使用するメモリ６３と、セパレータ６２で分離された主映像データ（ビデオパックの内容）をデコードするV(Video)デコーダと、セパレータ６２で分離された副映像データ（副映像パックの内容）をデコードするSP(Sub-picture)デコーダと、セパレータ６２で分離されたオーディオデータ（オーディオパックの内容）をデコードするA(Audio)デコーダからなるデコーダ群６４と、Vデコーダから得られる主映像データにSPデコーダから得られる副映像データを適宜合成し、主映像にメニュー、ハイライトボタン、字幕やその他の副映像を重ねて出力するビデオプロセッサ６６を備えている。 
ビデオプロセッサ６６の出力は、ビデオミキシング部７１に入力される。ビデオミキシング部７１では、テキストデータの合成が行われる。またビデオミキシング部７１には、ＴＶチューナ部４４やA/V入力部４２からの信号を直接取り込むライン(図示しない)も接続されている。ビデオミキシング部７１には、バッファとして用いるフレームメモリ７２が接続されている。なお、ビデオミキシング部７１の出力がデジタル出力の場合は、I/F(インターフェース)７３を介して外部へ出力され、アナログ出力の場合は、D/A(デジタルアナログ)変換部７４を介して外部に接続されている表示部80へ出力される。
【００１９】
Aデコーダの出力が、デジタル出力の場合は、I/F(インターフェース)７５を介して外部へ出力され、アナログ出力の場合は、音声セレクタ部７６を介してD/A変換部７７でアナログ変換され外部に出力される。音声セレクタ部７６は、マイクロコンピュータブロック30からのセレクト信号により、ＴＶチューナ部４４やA/V入力部４２からの信号を直接モニタするとき、A/D変換部５２からの出力を選択することも可能である。アナログオーディオ信号は、図示しない外部コンポーネント（２チャンネル〜６チャンネルのマルチチャンネルステレオ装置）に供給される。 
マイクロコンピュータブロック30は、図示しないMPU(マイクロプロセシングユニット)、またはCPU(セントラルプロセシングユニット)と、制御プログラム等が書き込まれたROMと、プログラム実行に必要なワークエリアを提供するためのRAMとを含んでいる。また、マイクロコンピュータブロック30は、EPG情報取得を制御するために必要な情報処理部を有するもので、EPGタイムテーブル部30a、タイマ部30b、EPG情報処理部30c、EPG取得管理部30dを備える。マイクロコンピュータブロック30は、TVチューナ部44を介して特定放送局(Aチャンネル)からのテレビ放送信号及び該テレビ放送信号に多重化されて送信されているEPG情報を取得するためにTVチューナ部44と接続されている。
【００２０】
EPGタイムテーブル部30aは、EPG情報を送信する特定放送局(例えば、Aチャンネル)の送信時間割を保有する。タイマ部30bは、現時刻を出力する。EPG情報処理部30cは、EPGタイムテーブル部30aを閲覧し、タイマ部30bからの現時刻と照合し、TVチューナ部44をEPG放送チャンネル(Aチャンネル)へ自動選局させ、テレビ放送信号に多重化されているEPG情報を取得し、これをユーザの要求に応じて番組表として出力する。EPG取得管理部30dは、EPG情報取得状況としてEPG情報取得可否とその時刻を記録する。また、EPG情報自体も記録している。なお、ユーザからの指示は、キー入力部47を介してマイクロコンピュータブロック30に入力される。また、記録再生装置の動作状態等は、表示部48に表示させることができる。
【００２１】
図２は、同実施の形態にかかわる記録再生装置のEPG情報取得の手順を示すフローチャートである。まず、EPG情報処理部30cは、EPG放送のEPGタイムテーブル部30aを確認し（ステップＳ２０１）、EPG放送時間か否かをタイマ部30bからの現時刻と照合し判定する（ステップＳ２０２）。EPG放送時間である場合は、TVチューナ４４の選局をEPG放送チャネル(Aチャンネル)に合わせることが可能か否かを判定する（ステップＳ２０３）。他のチャネルを視聴中、録画中および予約録画時間がEPG放送開始時間と重なる場合などはEPG放送チャネルに選局することはできないため、EPG情報は未取得となる（ステップＳ２０７）。ステップS204において、EPG放送チャネルへの選局ができた場合は、EPG情報を取得し、そのデータをEPG取得管理部30dに保持する（ステップＳ２０４）。その後、EPG情報処理部30cで、EPG放送電波状況の異常や、途中での選局操作等がなく、EPG情報が完全に取得できたか否かを判定する（ステップＳ２０５）。完全に取得できた場合は、その取得時刻をEPG取得管理部30dに記録する（ステップＳ２０７）。以降、EPGタイムテーブル検索（Ｓ２０１）を繰り返す。
【００２２】
図３は、同実施の形態にかかわる情報記録再生装置の第１のEPG情報表示の手順を示すフローチャートである。まず、ユーザのキー入力部４７からの操作でEPG取得管理部30dから番組表の呼び出しを行なう（ステップＳ３０１）。EPG情報処理部30cは、EPG取得管理部30dから番組表とともに、EPG情報取得可否とその時刻の履歴を含め表示データを出力する（ステップＳ３０２）。これにより、ユーザは、表示されている番組表が完全に取得できたか否か，及びその時刻を把握することができる。
【００２３】
図４は、同実施の形態にかかわる情報記録再生装置の第２のEPG情報表示の手順を示すフローチャートである。ユーザのキー入力部４７からの操作を受けると、EPG取得管理部30dから番組表の呼び出しを行なう（ステップＳ４０１）。EPG情報処理部30cは、EPGタイムテーブル部30aの放送時間とタイマ部30bからの現時刻とを照合し、直近の番組表の放送時刻を特定する（ステップＳ４０２）。ステップＳ４０２で得た直近の放送時刻，すなわち最新のEPG放送時刻と、取得済みEPGの時刻を照合する（ステップＳ４０３）。次に、取得しているEPG情報が最新か否かを判定する（ステップＳ４０４）。最新のEPG情報の場合は、EPG情報を表示部８０に表示する（ステップＳ４０５）。EPG情報が最新でない場合は、EPG取得管理部30dからの取得済みの番組表と、該番組表の取得時間情報や未更新情報等を表示部８０に表示する（ステップＳ４０６）。なお、図５は、同実施の形態にかかわる記録再生装置に接続された表示部８０におけるEPG情報と取得情報を示す画面表示である。図５において、番組表501は、ユーザのキー入力部４７からの呼び出し操作で表示される。表示例では、EPG情報から得られた２００４年４月５日の２０時から２２時までの1CHと3CHの番組表である。画面の下段中には、タイマ部30bからの現時刻502と、番組表501のEPG情報を取得した時間と最新版に更新されているか否かの情報503が同時に表示されている。503は、具体的には取得したEPG情報の取得時間情報とEPGタイムテーブルとを比較し、取得時間が直近のEPGタイムテーブルに最も近い時間ではなく、直近よりさらに前の時間であれば、直近のEPG情報の取得に失敗したと判断して、「未更新あり」の表示を取得時間とともに行う。
【図面の簡単な説明】
【００２４】
【図１】本発明の一実施の形態による記録再生装置を示す概略構成図。
【図２】同実施の形態にかかわる記録再生装置のEPG情報取得の手順を示すフローチャート。
【図３】同実施の形態にかかわる記録再生装置の第１のEPG情報表示の手順を示すフローチャート。
【図４】同実施の形態にかかわる記録再生装置の第２のEPG情報表示の手順を示すフローチャート。
【図５】記録再生装置に接続された表示部におけるEPG情報と取得情報を示す画面表示例。
【符号の説明】
【００２５】
30  マイクロコンピュータブロック
30a  EPGタイムテーブル部
30b  タイマ部
30c  EPG情報処理部
30d  EPG取得管理部
35  ディスクドライブ部
36  データ処理部
37  一時記憶部
50  エンコーダ部
60  デコーダ部
501  番組表(EPG情報)
502  現時刻
503  番組表501のEPG情報を取得した時間と最新版に更新されているか否かの情報
1001  光ディスク(DVD-RAM)
2001  HDD部(ハードディスクドライブ部)
【図１】
2006108740.tif 000003
【図２】
2006108740.tif 000004
【図３】
2006108740.tif 000005
【図４】
2006108740.tif 000006
【図５】
2006108740.tif 000007